(57)【要約】  本発明は容器、特に例えば化学物質／溶媒を保存する金属容器のための再固定可能な蓋（１）に関する。上記再固定可能な蓋は、上記金属容器の開口部および非金属の外縁部（例えばプラスチックの外縁部）（４）を覆う非プラスチックカバー（例えば金属カバー）（３）を備え、上記外縁部の一部は固定位置と非固定位置の間で折り曲げ可能である。上記外縁部の折り曲げ可能部分が固定位置にあるとき、上記外縁部の固定手段（８）は上記容器の湾曲部または突起と係合する。
2005515129.tif 000002
【特許請求の範囲】
【請求項１】
容器のための再固定可能な蓋であり、その容器は側壁をもち、その側壁は容器の開口部の周囲に存在する湾曲部で終わり、その湾曲部は閉じられるべき開口部を一周し、
少なくとも上記開口部を覆う非プラスチックカバー、および、少なくとも１つの非金属の外縁部を備える蓋であって、
上記非金属の外縁部が、上記非プラスチックカバーの周囲の端部の少なくとも一部に取り付けられ、上記非金属の外縁部が、上記容器の上記側壁に沿って存在し、上記容器へ蓋を固定するように上記容器の上記湾曲部の少なくとも一部と係合する固定手段をもち、
ここで、上記外縁部は、上記カバーに取り付けられた第１の部分、および上記固定手段が上記湾曲部と係合する固定位置と、上記固定手段が上記湾曲部と係合しない非固定位置との間で折り曲げ可能な第２の部分からなる蓋。
【請求項２】
容器のための再固定可能な蓋であり、その容器は側壁をもち、その側壁は、１つ以上の側壁の周囲に外向きに存在する突起を備え、容器の開口部の周囲に存在する湾曲部で終わり、その湾曲部は閉じられるべき開口部を一周し、
少なくとも上記開口部を覆う非プラスチックカバー、および、少なくとも１つの非金属の外縁部を備える蓋であって、
上記非金属の外縁部が、上記非プラスチックカバーの周囲の端部の少なくとも一部に取り付けられ、上記非金属の外縁部が、上記容器の上記側壁に沿って存在し、上記容器へ蓋を固定するように上記容器の上記湾曲部および／または１つ以上の上記突起の少なくとも一部と係合する固定手段をもち、
ここで、上記外縁部は、上記カバーに取り付けられた第１の部分、および上記固定手段が上記湾曲部および／または上記突起と係合する固定位置と、上記固定手段が上記湾曲部および／または上記突起と係合しない非固定位置との間で折り曲げ可能な第２の部分からなる蓋。
【請求項３】
上記外縁部が上記湾曲部の外部表面に沿って存在する請求項１または請求項２に記載の蓋。
【請求項４】
上記カバーが上記容器の内部表面と係合可能な壁部を備え、その内部表面は上記容器の側壁により区画され、上記壁部および上記外縁部が、上記容器の上記湾曲部のための空洞を区画する請求項１から請求項３のいずれか１つに記載の蓋。
【請求項５】
上記固定手段が、係合する表面を区画するように、上記湾曲部の一部および／または複数の突起と係合可能な、側壁の周囲に存在するリブを備える請求項１から請求項４のいずれか１つに記載の蓋。
【請求項６】
上記湾曲部が、上記カバーおよび固定手段の接触表面を区画する請求項１から請求項５にいずれか１つに記載の蓋。
【請求項７】
気密な蓋を提供するように、合成物が上記カバーと上記湾曲部の間に配置された請求項１から請求項６のいずれか１つに記載の蓋。
【請求項８】
気密な蓋を提供するように、合成物が、上記容器の上記側壁および上記カバーの上記壁部の間に配置される請求項４から請求項７のいずれか１つに記載の蓋。
【請求項９】
気密な蓋を提供するように、合成物が、上記外縁部および上記容器の上記側壁の間に配置される請求項１から請求項８のいずれか１つに記載の蓋。
【請求項１０】
上記合成物が上記カバーまたは上記外縁部に取り付けられた請求項７から請求項９のいずれか１つに記載の蓋。
【請求項１１】
上記カバーが、金属および／またはボール紙および／または混合物および／またはガラスおよび／または木から成る請求項１から請求項１０のいずれか１つに記載の蓋。
【請求項１２】
上記外縁部が上記カバーに継ぎ合わされた請求項１から請求項１１のいずれか１つに記載の蓋。
【請求項１３】
上記外縁部が上記カバーと共に射出成形された請求項１から請求項１１のいずれか１つに記載の蓋。
【請求項１４】
上記外縁部が上記カバーに接着された請求項１から請求項１１のいずれか１つに記載の蓋。
【請求項１５】
上記外縁部が上記カバー上にクリック止めされた請求項１から請求項１１のいずれか１つに記載の蓋。
【請求項１６】
上記外縁部が、ＰＥＬＤ、ポリプロピレン、ＰＥＨＤ、ポリエステル、アクリル樹脂、ナイロン、エラストマーまたはゴムなどの弾力性のあるプラスチックからできている請求項１から請求項１５のいずれか１つに記載の蓋。
【請求項１７】
上記蓋および上記容器が実質的に円筒状である請求項１から請求項１６のいずれか１つに記載の蓋。
【請求項１８】
上記固定手段の少なくとも一部が取り外し可能である請求項１から請求項１７のいずれか１つに記載の蓋。
【請求項１９】
係合するリブが第１の部分および第２の部分を備え、上記第１の部分の係合する表面の断面が、上記第２の部分の係合する表面の断面よりも大きい請求項５から請求項１８のいずれか１つに記載の蓋。
【請求項２０】
上記リブの上記第１の部分が取り外し可能である請求項１８または請求項１９に記載の蓋。
【請求項２１】
上記蓋が握る手段を備える請求項１から請求項２０のいずれか１つに記載の蓋。
【請求項２２】
上記外縁部が２つ、３つ、４つ、またはそれ以上の個別の外縁部からなる請求項１から請求項２１のいずれか１つに記載の蓋。
【請求項２３】
上記外縁部が上記容器の境界線全体に連続して沿って存在する請求項１から請求項２１のいずれか１つに記載の蓋。
【請求項２４】
上記外縁部が、上記外縁部の外周の方向へ横に広がる、１つ以上のはがすことのできるミシン目を備える請求項２３に記載の蓋。
【請求項２５】
上記外縁部は、上記外縁部の外周の方向へ横に広がる、１つ以上のスリットを備える請求項１から請求項２４のいずれか１つに記載の蓋。
【請求項２６】
上記外縁部の少なくとも一部が上記カバーから取り外し可能である請求項１から請求項２５のいずれか１つに記載の蓋。
【請求項２７】
容器のための蓋を製造する方法であり、その容器は側壁をもち、その側壁は容器の開口部の周囲に存在する湾曲部で終わり、その湾曲部は閉じられるべき開口部を一周し、
非プラスチックカバーを提供するステップであって、その非プラスチックカバーは開口部の周囲に端部をもち、その端部は外縁部のための取り付け部分を区画するステップ、
非金属の外縁部を提供するステップ、および
上記外縁部を上記取り付け部分へ取り付けるステップ
を備える方法。
【請求項２８】
取り付けるステップが、上記外縁部を上記取り付け部分へ継ぎ合わせることを含む請求項２７に記載の方法。
【請求項２９】
取り付けるステップが、上記外縁部を上記取り付け部分へ接着することを含む請求項２７に記載の方法。
【請求項３０】
取り付けるステップが、上記外縁部を上記取り付け部分へ射出成形することを含む請求項２７に記載の方法。
【請求項３１】
取り付けるステップが、上記外縁部を上記取り付け部分上へクリック止めすることを含む請求項２７に記載の方法。
【請求項３２】
上記外縁部を提供するステップが上記外縁部を押し出すことを含む請求項２７から請求項３１のいずれか１つに記載の方法。
【発明の詳細な説明】
【技術分野】
【０００１】
本発明は容器、特に例えば化学物質／溶媒を保存する金属容器のための再固定可能な蓋に関する。
【背景技術】
【０００２】
溶媒を含む化学物質または他の液体を保存することは、容器の材料を溶解する上記溶媒により漏れることを避けるように、非プラスチック容器を必要とする。特に、油性の塗料は、金属容器などの非プラスチック容器に保管される必要がある。金属容器を開けることは、カバーをあげるように、カバーと容器との間に差し込み可能な先のとがった物（例えばねじ回し）をしばしば必要とするので、とても難しい。さらに上記金属容器を閉めることは、上記カバーを上記容器の開口部の中に気密に押しつけるために、上記カバーの上へ比較的高い圧力（またはハンマーの使用）を必要とする。
【０００３】
従来技術より、曲げることが可能な外縁部をカバーの上へ設けることは知られていて、その外縁部は容器の外部表面に沿って下方向に存在する。さらにその外縁部は、上記カバーを上記容器に固定するように、容器の端に係合するリブをもつ。しかし、そのような外縁部をもつ既知のカバーは、油性塗料、溶剤ベース塗料、溶媒などに適用不可能なプラスチック容器およびプラスチックカバーへのみに関係する。これらのカバーは、例えば、特許文献１、特許文献２、特許文献３、特許文献４、特許文献５、特許文献６および特許文献７に記載されている。
【特許文献１】デンマーク特許第１４５１９４号
【特許文献２】米国特許第３，６８８，９４２号
【特許文献３】スウェーデン特許第５０７５１０号
【特許文献４】スウェーデン特許第４６９７９４号
【特許文献５】国際公開公報第ＷＯ８８／０３９０１号
【特許文献６】ヨーロッパ特許第０２４５８９４号
【特許文献７】ヨーロッパ特許第０４１２２３１号
【発明の開示】
【発明が解決しようとする課題】
【０００４】
本発明の目的は、どのような道具も必要とせずに容易に適合および再適合する、容器の再固定可能な非プラスチック蓋を提供することである。
【課題を解決するための手段】
【０００５】
第１の面によれば、本発明は、容器のための再固定可能な蓋であり、その容器は側壁をもち、その側壁は容器の開口部の周囲に存在する湾曲部で終わり、その湾曲部は閉じられるべき開口部を一周し、この蓋は、
少なくとも上記開口部を覆う非プラスチックカバー、および、少なくとも１つの非金属の外縁部を備え、
上記非金属の外縁部が、上記非プラスチックカバーの周囲の端部の少なくとも一部に取り付けられ、上記非金属の外縁部が、上記容器の上記側壁に沿って存在し、上記容器へ蓋を固定するように上記容器の上記湾曲部の少なくとも一部と係合した固定手段をもち、
ここで、上記外縁部は、上記カバーに取り付けられた第１の部分、および上記固定手段が上記湾曲部と係合する固定位置と、上記固定手段が上記湾曲部と係合しない非固定位置との間で折り曲げ可能な第２の部分からなる。
【０００６】
上記容器は側壁をもち、その側壁は、１つ以上の側壁の周囲に外向きに存在する突起を備え、容器の開口部の周囲に存在する湾曲部で終わり、その湾曲部は閉じられるべき開口部を一周する。この場合、上記蓋は、第２の面により、
少なくとも上記開口部を覆う非プラスチックカバー、および、少なくとも１つの非金属の外縁部を備える蓋であって、
上記非金属の外縁部が、上記非プラスチックカバーの周囲の端部の少なくとも一部に取り付けられ、上記非金属の外縁部が、上記容器の上記側壁に沿って存在し、上記容器へ蓋を固定するように上記容器の上記湾曲部および／または１つ以上の上記突起の少なくとも一部と係合する固定手段をもち、
ここで、上記外縁部は、上記カバーに取り付けられた第１の部分、および上記固定手段が上記湾曲部および／または上記突起と係合する固定位置と、上記固定手段が上記湾曲部および／または上記突起と係合しない非固定位置との間で折り曲げ可能な第２の部分からなる。
【０００７】
上記容器とカバーは、円筒状、卵形、楕円であってもよく、または上記容器は四角形や長方形などの多角形であってもよい。
【０００８】
上記外縁部は上記湾曲部の外側表面に沿って存在してもよく、上記湾曲部および／または上記突起の端に係合してもよく、その突起は、容器の側壁に外方向に広がるビーズ／ひだであってもよい。
【０００９】
上記蓋は１つの非金属の外縁部を備えてもよい。いくつかの実施に形態では、上記蓋は、例えば２個、３個、４個、５個、６個、７個、８個、９個、または１０個の複数の非金属の外縁部を備えてもよい。上記非金属の外縁部は互いに取り付け可能で、互いに取り外し可能である（例えば上記外縁部の弱化線を用いて）。
【００１０】
好ましくは、上記外縁部は、上記カバーに取り付けられた第１の部分、および上記固定手段が上記湾曲部および／または上記突起と係合する固定位置と、上記固定手段が上記湾曲部および／または上記突起と係合しない非固定位置との間で折り曲げ可能な第２の部分を備える。好ましくは、上記外縁部は、第２の部分が、固定位置から非固定位置へ移動するとき、外向きにかつ上向きにそのまわりで向きを変える折り曲げ線を備える。非固定位置では、第２の部分は第１の部分に境を接する。
【００１１】
上記湾曲部は、上記カバーおよび固定手段の接触表面を区画可能である。
【００１２】
好ましい実施の形態では、上記固定手段は、上記湾曲部および／または上記突起の一部と係合可能な、側壁の周囲に存在するリブを備える。上記リブは、半径をもつ湾曲した部分と共に形成可能であり、その半径は上記湾曲部および／または上記突起の湾曲した部分の半径に対応する。
【００１３】
上記外縁部は、例えばゴムでできていて、上記湾曲部および上記突起の一部と係合する弾力性のあるリブを備えていてもよい。
【００１４】
好ましくは、上記外縁部は上記容器の外周全体（もし上記容器が円筒状、卵形、楕円または多角形の場合）に連続して沿って存在するが、代わりとして、上記外縁部は２個、３個、４個またはそれ以上の個々の外縁部からできていてもよいので、上記カバーは個々の繋がっていない外縁部により上記容器に固定されている。
【００１５】
上記固定手段の少なくとも一部は取り外し可能である。例えば、係合するリブの一部は取り外し可能である。上記固定手段／上記係合するリブの取り外し可能な部分は、取り外し不可能な上記固定手段／上記係合するリブの一部と比較して、上記容器の上記湾曲部または１つ以上の上記突起とのさらなる係合を提供可能である。それ故上記固定手段／上記係合するリブの取り外し可能な部分を取り除いた後では、上記蓋を取り除くのは容易になる。取り外し可能な部分を取り除いた後で、上記蓋を取り除くときには、まだ上記固定手段／上記係合するリブの取り外し不可能な部分の向きを変えるか裏返す必要がある。
【００１６】
１つの実施の形態では、上記固定手段／上記係合するリブは、第１の部分および第２の部分を備えることができる。ここで、第１の部分の係合する表面の断面は、第２の部分の係合する表面の断面より大きい。１つの実施例では、第１の部分の断面の厚みは、第２の部分の断面の厚みより厚い。より厚い部分のために、係合する表面はより大きくてもよくて、また、上記係合するリブを、上記湾曲部または１つ以上の上記突起を越えて動かすことは難しくてもよい。上記第１の部分は取り外し可能である。
【００１７】
１つの実施の形態では、上記蓋は、ユーザが上記蓋を取り除くのを容易にすることを可能にする握る手段を備えてもよい。上記握る手段はハンドグリップとしての役目を果たしてもよく、上記ハンドグリップの位置は、上記蓋および上記容器の間のさらに多くのまたはより少ない係合になってもよい。上記握る手段は、上記蓋を上記容器へ取り付けるのをより簡単にすることも可能である。上記蓋は１つ、２つまたはそれ以上の握る手段を備えてもよい。上記握る手段は、上記容器の移送の際、取手としても使用可能である。
【００１８】
上記外縁部の固定位置および非固定位置の間で外縁部を折り曲げるのを簡単にするために、上記外縁部は、上記外縁部の外周の方向へ横に広がる、１つ以上のはがすことのできるミシン目を備えてもよい。それ故、ミシン目がはがされたとき、上記外縁部の第２の部分を折り曲げるのに要求される力は弱くなる。
【００１９】
上記外縁部は、上記外縁部の外周の方向へ横に広がる、１つ以上のスリット（ミシン目が打たれていない）を備えていてもよい。
【００２０】
好ましくは、上記スリットおよび／または上記ミシン目は、外縁部のみの第２の部分に広がっているが、上記外縁部の第１の部分および第２の部分の両方に広がっていてもよい。
【００２１】
用語「取り付けられた」は、上記外縁部が上記カバーに継ぎ合わせ可能なことを含んでもよいので、上記外縁部は対向して配置された２つのフリンジの間に継ぎ合わされ、または接着剤で２つのフリンジの間に接着されてもよく、または上記カバーへ射出成形されてもよく、またはこれらの取り付け方法のいずれの組み合わせにより上記カバーへ取り付けられてもよい。
【００２２】
代わりに、上記外縁部は上記カバーにクリック止めされてもよい。その場合上記外縁部は、上記カバーに固定されてもよいし、取り外し可能なように取り付けられてもよい。
【００２３】
上記カバーが上記容器の内部表面と係合可能な壁部を備えてもよく、その内部表面は上記容器の側壁により区画され、上記壁部および上記外縁部が、上記容器の上記湾曲部のための空洞を区画する。上記壁部は外向きに傾いていてもよいので、たとえ上記外縁部が固定位置でなくとも、上記カバーが上記容器の開口部に上記カバーの位置を維持されるように、上記壁部および上記容器の上記内部表面は互いに摩擦で係合していてもよい。
【００２４】
もう１つの実施の形態では、上記カバーは、上記容器の上記側壁に対して実質的に直角に存在し容器の中へは広がっていない平らなカバーの表面を備えてもよいので、上記壁部はなしですますことも可能である。この場合、上記カバーは外縁部のみにより上記容器に固定されることが可能である。
【００２５】
上記容器の上記内部表面はひだを備えていてもよくて、これは、内容物が上記容器から溢れ出すのを防ぐように、上記容器内の上記内容物の毛管上昇を防ぐ。
【００２６】
上記容器のために気密な蓋を提供するために、合成物（封止された／気密な蓋を提供する材料）が上記カバーと上記容器の間に置かれてもよい。上記合成物は、例えば、ゴムバンド、吹き付けられたシリコン、エラストマー、ソフトポリマーまたは化学合成ゴム混合物であってもよい。
【００２７】
上記合成物は上記容器の上記側壁および上記カバーの上記壁部の間に配置される。例えば上記容器の上記側壁のひだの内側または上記壁部などに配置される。
【００２８】
代わりにまたは加えて、上記合成物は上記外縁部および上記容器の上記側壁の間に配置されてもよい。たとえば上記容器の上記側壁のひだの内側または上記外縁部の第２の部分などである。上記合成物は、たとえば上記リブを構成してもよく、または上記合成物は上記カバーまたは上記外縁部に取り付けられるだけでもよい。
【００２９】
上記カバーは金属でできていると好ましいが、ボール紙、混合物、ガラスまたは木でできていてもよい。上記外縁部は、好ましくは、ＰＥＬＤ、ポリプロピレン、ＰＥＨＤ、ポリエステル、アクリル樹脂、ナイロン、エラストマーまたはゴムなどの弾力性のある／可撓性のあるプラスチックからできていてもよい。
【００３０】
プラスチックカバーと比較して可撓性の無いのは、金属カバーを用いた蓋の長所である。それ故、金属カバーは、プラスチックカバーと同じ程度まで、ねじられたり曲げられたりすることができないので、蓋が取り外されるか再取り付けされるとき、内部表面上の固化した材料は剥がれない。可撓性のある材料からできた外縁部は、本用途の折り曲げ可能な特性を提供できる。上記外縁部は折り曲げ可能なので、上記外縁部のリブ部分および缶の端部の間にさらなる係合を提供することが可能になりうる。これは以下の事実による。上記蓋は、上記外縁部の上記リブ部分および上記缶の上記端部が係合したとき、上記缶から引きはぎ可能である必要はない。
【００３１】
上記カバーが気密な固定可能な蓋を提供するので、上記容器は、食材、溶媒、化学物質または塗料を入れることができるが、上記容器および上記カバーは、当然、クッキーなどの他の品物のためにも使用することができる。上記容器は、金属、プラスチック、混合物、ボール紙、ガラス、または木でできていてもよい。
【００３２】
上記容器から上記蓋を取り除いたとき、上記外縁部の第２の部分は非固定位置へ折り曲げる／向きを変えることができて、続いて上記蓋は上記容器から持ち上げられることが可能である。蓋を適合／再適合するとき、上記外縁部の第２の部分は、最初、上記外縁部の第１の部分と直線で並ぶように向きを変えられ／折り曲げられ、続いて蓋が、固定手段が上記湾曲部および／または上記突起と係合するまで、下方向に滑らかに動く。上記蓋を上記容器へ適合／再適合させる方法は、例えば人が容器にはめることにより、下方向へ蓋を押す通常の方法を備えてもよい。
【００３３】
この蓋は、多くの既知の湾曲部をもつ容器に適用できて、この蓋が通常の生産装置の使用によりそのような容器に適合可能であるので、この蓋は、容器の生産業者に分けて（容器と組み合わせないで）販売可能である。この蓋が分けて販売可能であるので、輸出のための梱包容積は、この蓋がとても接近して積み上げ可能なので、最小に減少する。
【００３４】
第２の部分を、上記蓋を上記容器に適合させる前の第１の部分と直線に並べる代わりに、上記蓋は容器の開口部に配置されてもよく、続いて上記外縁部の第２の部分が、固定位置に動かされ／折り曲げられる。
【００３５】
第３の面によると、本発明は容器のための蓋を製造する方法に関する。ここで、その容器は側壁をもち、その側壁は容器の開口部の周囲に存在する湾曲部で終わり、その湾曲部は閉じられるべき開口部を一周する。上記方法は以下のステップ、
非プラスチックカバーを提供するステップであって、その非プラスチックカバーは開口部の周囲に端部をもち、その端部は外縁部のための取り付け部分を区画するステップ、
非金属の外縁部を提供するステップ、および
上記外縁部を上記取り付け部分へ取り付けるステップ
を備える。
【００３６】
上記外縁部を上記カバーへ取り付けるステップは、上記外縁部を上記取り付け部分へ継ぎ合わせること、接着すること、またはクリック止めすることから成るか、上記外縁部を上記取り付け部分へ射出成形することを含む。
【００３７】
上記外縁部を提供するステップは、上記外縁部を押し出すことまたは射出成形することを含む。
【発明を実施するための最良の形態】
【００３８】
以下、添付の図を参照して発明の実施の形態を説明する。
【００３９】
図１は本発明による蓋１および容器２の断面図を示す。上記蓋は金属カバー３および外縁部４を備え、ここで外縁部とは周囲に存在する部分であって、これらは共に上記容器の蓋を区画する。上記容器は、下端５、首部分６および上端７をもつ湾曲部を備える。
【００４０】
下端５は、外縁部の湾曲したリブの部分８の半径に実質的に等しい半径をもつ湾曲した部分をもつ。上記外縁部は、カバーに取り付けられた第１の部分９、および第２の部分１０をもち、この第２の部分は、湾曲したリブの部分８が下端５と係合する固定位置、および第２の部分が外向きに折り曲げ可能である非固定位置の間で外側（１１の方向）へ折り曲げ可能である。上記第２の部分は点１５のまわりを折り曲げ可能である。
【００４１】
上記カバーは、封止された蓋を提供するように上記容器の上端７へ気密に適合する合成物１２を備える。
【００４２】
上記カバーは、容器の側壁により区画される、上記容器の内部表面１４と係合可能な外向き傾いた壁部１３を備える。上記壁部および上記外縁部は上記容器の上記湾曲部のための空洞を区画する。
【００４３】
図２は、上記カバーに取り付けられた上部の球状の部分１６をもつ外縁部を示す。上記球状の部分は上記外縁部が上記カバーに取り付けられていることを確実にする。
【００４４】
図３および図４は、上記カバーの端部をもつ外縁部を射出成形する２つの異なる実施の形態を示す。図４では、上記外縁部を伴う上記カバーは滑らかで丸い端部をもつが、図３で示された上記外縁部を伴う上記カバーは首部分のある端を持つ。
【００４５】
図５は図１で示された物と同じ本発明の実施の形態を示すが、上記外縁部の第２の部分１０は、固定しない方向へ動かされる。この位置では上記蓋を上記容器から外して持ち上げることが可能である。
【００４６】
上記蓋を上記容器へ再適合するとき、第２の部分は、最初に第１の部分と直線で並ぶように動かされ、次に上記蓋は上記容器の上に配置され、湾曲したリブの部分８が下端５と係合するまで下方向に滑らかに動く。
【００４７】
図６は、図１から図５に示された上記容器内へ広がる、上記外向きに傾いた壁部のかわりに、上記カバーが上記容器の上記側壁１４に対して実質的に直角に存在する平らな表面１３を備えている。合成物１２は上端７に気密に適合する。
【００４８】
図７、図８は容器２および金属カバー３と外縁部４とを備える蓋１の３次元図を示す。図７の外縁部は上記外縁部の境界線の方向へ横に広がるスリット１７を備える。このスリットは、上記外縁部の第２の部分をより容易に折り曲げることを可能にする。
【００４９】
上記蓋の形状は、上記容器に取り付けられた上記蓋を伴う上記容器が互いに積み上げられることを提供する。
【００５０】
図９ａ、図９ｂ、図１０ａおよび図１０ｂは本発明による蓋１および容器２を示す。上記蓋は金属カバー３および外縁部４を備え、金属カバー３および外縁部４は共に上記容器の上記蓋を区画する。外縁部４は、取り外し可能な部分１８および取り外し不可能な部分１９を備える。弱化線２０が取り外し可能な部分１８および取り外し不可能な部分１９を分離する。部分１８および部分１９は一体形成可能である。図１０ａおよび図１０ｂでは、取り外し可能な部分１８が取り外し不可能な部分１９から取り外される。湾曲したリブの部分８（図には示されていない）は、取り外し不可能な部分１９よりも取り外し可能な部分１８の方がより厚い。
【００５１】
容器２およびカバー３と外縁部４を備える蓋１は、図１１ａ、図１１ｂ、図１２ａおよび図１２ｂに示されている。外縁部４は取り外し可能な部分１８と取り外し不可能な部分１９を備える。弱化線２０は部分１８および部分１９を分離する。帯２１は、取り外し可能な部分１８を取り外すことになる方向２２へ引くことができる。上記取り外しの後で、上記外縁部の取り外し不可能な部分は穴２３を備える。取っ手２４は上記容器から上記蓋を取り外すために使用可能である。
【００５２】
同じように図１３ａ、図１３ｂ、図１４ａおよび図１４ｂでは、帯が、取り外し不可能な部分１９から取り外し可能な部分１８を取り外すために使用可能である。取り外し可能な部分１８が取り外されると、取っ手２４が上記蓋を取り外すために使用可能である。上記取っ手はユーザの手に適合するような形状をしている。
【００５３】
図１５ａ、図１５ｂ、図１６ａおよび図１６ｂは容器２およびカバー３と外縁部４とを備えた蓋１を示す。上記外縁部は取り外し可能な部分１８および取り外し不可能な部分１９を備える。上記取り外し可能な部分は、接続する部材２５により帯２１に相互結合されている。上記帯が取り除かれると、取っ手２４が容器２から蓋１を取り外すために使用される。
【００５４】
図１７ａおよび図１７ｂは容器２と蓋１を示す。上記蓋は外縁部４および２つの位置を移動可能な取っ手２４を備える。図１７ａでは上記取っ手は第１の位置にあり、図１７ｂでは上記取っ手は第２の位置にある。取っ手が第１の位置にあるとき、湾曲したリブの部分８は湾曲した端部の下端５に係合する。それ故第１の位置は、上記蓋が上記容器から取り外すことができない固定位置で、第２の位置は、上記蓋が上記容器から取り外すことのできる非固定位置である。上記蓋は、取っ手２４と外縁部４が一体で作られ、弱化線２６が取っ手２４の端と外縁部４の端の間に設けられて生産可能である。弱化線２６を破る前に、上記取っ手は、図１７ａに示されるように固定位置に保持される。上記取っ手が図１７ｂに示されるように第２の位置へ移動されたとき、弱化線２６を破られ、取っ手２４は上記蓋を取り外すために使用可能である。
【００５５】
図１８ａおよび図１８ｂは容器２および外縁部４を備えた蓋１を示す。上記外縁部の下端２７は波形をしている。上記下端を波形に形成することのより、上記外縁部が固定位置および非固定位置の間に折り曲げられたとき、上記外縁部のよい係合を得るのがより容易になるので、ユーザが缶を開けるのがより容易になる。波の数はいくつあってもよい。例えば各波間の距離は人の指の間の距離に実質的に等しくてもよい。他の実施の形態では４つ、５つ、６つ、７つ、８つ、９つまたは１０個の波があってもよい。
【図面の簡単な説明】
【００５６】
【図１】本発明による蓋および容器の断面図
【図２】本発明による蓋および容器の断面図
【図３】本発明による蓋および容器の断面図
【図４】本発明による蓋および容器の断面図
【図５】本発明による蓋および容器の断面図
【図６】本発明による蓋および容器の断面図
【図７】本発明による容器および蓋の３次元図
【図８】本発明による容器および蓋の３次元図
【図９ａ】外縁部の一部が２つの位置の間で取り外されるか変更を加えられる実施の形態を示す図
【図９ｂ】外縁部の一部が２つの位置の間で取り外されるか変更を加えられる実施の形態を示す図
【図１０ａ】外縁部の一部が２つの位置の間で取り外されるか変更を加えられる実施の形態を示す図
【図１０ｂ】外縁部の一部が２つの位置の間で取り外されるか変更を加えられる実施の形態を示す図
【図１１ａ】外縁部の一部が２つの位置の間で取り外されるか変更を加えられる実施の形態を示す図
【図１１ｂ】外縁部の一部が２つの位置の間で取り外されるか変更を加えられる実施の形態を示す図
【図１２ａ】外縁部の一部が２つの位置の間で取り外されるか変更を加えられる実施の形態を示す図
【図１２ｂ】外縁部の一部が２つの位置の間で取り外されるか変更を加えられる実施の形態を示す図
【図１３ａ】外縁部の一部が２つの位置の間で取り外されるか変更を加えられる実施の形態を示す図
【図１３ｂ】外縁部の一部が２つの位置の間で取り外されるか変更を加えられる実施の形態を示す図
【図１４ａ】外縁部の一部が２つの位置の間で取り外されるか変更を加えられる実施の形態を示す図
【図１４ｂ】外縁部の一部が２つの位置の間で取り外されるか変更を加えられる実施の形態を示す図
【図１５ａ】外縁部の一部が２つの位置の間で取り外されるか変更を加えられる実施の形態を示す図
【図１５ｂ】外縁部の一部が２つの位置の間で取り外されるか変更を加えられる実施の形態を示す図
【図１６ａ】外縁部の一部が２つの位置の間で取り外されるか変更を加えられる実施の形態を示す図
【図１６ｂ】外縁部の一部が２つの位置の間で取り外されるか変更を加えられる実施の形態を示す図
【図１７ａ】外縁部の一部が２つの位置の間で取り外されるか変更を加えられる実施の形態を示す図
【図１７ｂ】外縁部の一部が２つの位置の間で取り外されるか変更を加えられる実施の形態を示す図
【図１８ａ】外縁部の一部が２つの位置の間で取り外されるか変更を加えられる実施の形態を示す図
【図１８ｂ】外縁部の一部が２つの位置の間で取り外されるか変更を加えられる実施の形態を示す図
【符号の説明】
【００５７】
１  蓋
２  容器
３  カバー
４  外縁部
５  下端
６  首部分
７  上端
８  湾曲したリブの部分
９  外縁部の第１の部分
１０  外縁部の第２の部分
１２  合成物
１３  容器の内部表面と係合可能な外向き傾いた壁部
１４  容器の内部表面
１５  点
１６  球状の部分
１７  スリット
１８  取り外し可能な部分
１９  取り外し不可能な部分
２０  弱化線
２１  帯
２３  穴
２４  取っ手
２５  接続する部材
２６  弱化線
２７  外縁部の下端
【図１】
2005515129.tif 000003
【図２】
2005515129.tif 000004
【図３】
2005515129.tif 000005
【図４】
2005515129.tif 000006
【図５】
2005515129.tif 000007
【図６】
2005515129.tif 000008
【図７】
2005515129.tif 000009
【図８】
2005515129.tif 000010
【図９ａ】
2005515129.tif 000011
【図９ｂ】
2005515129.tif 000012
【図１０ａ】
2005515129.tif 000013
【図１０ｂ】
2005515129.tif 000014
【図１１ａ】
2005515129.tif 000015
【図１１ｂ】
2005515129.tif 000016
【図１２ａ】
2005515129.tif 000017
【図１２ｂ】
2005515129.tif 000018
【図１３ａ】
2005515129.tif 000019
【図１３ｂ】
2005515129.tif 000020
【図１４ａ】
2005515129.tif 000021
【図１４ｂ】
2005515129.tif 000022
【図１５ａ】
2005515129.tif 000023
【図１５ｂ】
2005515129.tif 000024
【図１６ａ】
2005515129.tif 000025
【図１６ｂ】
2005515129.tif 000026
【図１７ａ】
2005515129.tif 000027
【図１７ｂ】
2005515129.tif 000028
【図１８ａ】
2005515129.tif 000029
【図１８ｂ】
2005515129.tif 000030
【手続補正書】
【提出日】平成16年1月10日(2004.1.10)
【手続補正１】
【補正対象書類名】特許請求の範囲
【補正対象項目名】全文
【補正方法】変更
【補正の内容】
【特許請求の範囲】
【請求項１】
容器のための再固定可能な蓋であり、その容器は側壁をもち、その側壁は容器の開口部の周囲に存在する湾曲部で終わり、その湾曲部は閉じられるべき開口部を一周し、
少なくとも上記開口部を覆う非プラスチックカバー、および、少なくとも１つの非金属の外縁部を備える蓋であって、
上記非プラスチックカバーは開口部の周辺に存在する封止領域をもち、その封止領域は上記容器の上端との封止部を形成可能であり、
上記非金属の外縁部が、上記非プラスチックカバーの周囲の端部の少なくとも一部に取り付けられ、上記非金属の外縁部が、上記容器の上記側壁に沿って存在し、上記容器へ蓋を固定するように上記容器の上記湾曲部の少なくとも一部と係合する固定手段をもち、
ここで、上記外縁部は、上記カバーに取り付けられた第１の部分、および上記固定手段が上記湾曲部と係合する固定位置と、上記固定手段が上記湾曲部と係合しない非固定位置との間で折り曲げ可能な第２の部分からなる蓋。
【請求項２】
容器のための再固定可能な蓋であり、その容器は側壁をもち、その側壁は、１つ以上の側壁の周囲に外向きに存在する突起を備え、容器の開口部の周囲に存在する湾曲部で終わり、その湾曲部は閉じられるべき開口部を一周し、
少なくとも上記開口部を覆う非プラスチックカバー、および、少なくとも１つの非金属の外縁部を備える蓋であって、
上記非プラスチックカバーは開口部の周辺に存在する封止領域をもち、その封止領域は上記容器の上端との封止部を形成可能であり、
上記非金属の外縁部が、上記非プラスチックカバーの周囲の端部の少なくとも一部に取り付けられ、上記非金属の外縁部が、上記容器の上記側壁に沿って存在し、上記容器へ蓋を固定するように上記容器の上記湾曲部および／または１つ以上の上記突起の少なくとも一部と係合する固定手段をもち、
ここで、上記外縁部は、上記カバーに取り付けられた第１の部分、および上記固定手段が上記湾曲部および／または上記突起と係合する固定位置と、上記固定手段が上記湾曲部および／または上記突起と係合しない非固定位置との間で折り曲げ可能な第２の部分からなる蓋。
【請求項３】
上記第２の部分が、上記固定位置および／または上記非固定位置に保持可能な請求項１または請求項２に記載の蓋。
【請求項４】
ある位置にある上記第２の部分が上記非固定位置に移動可能な請求項１から請求項３のいずれか１つに記載の蓋。
【請求項５】
上記外縁部が上記湾曲部の外側表面に沿って存在する請求項１から請求項４のいずれか１つに記載の蓋。
【請求項６】
上記カバーが上記容器の内部表面と係合可能な壁部を備え、その内部表面は上記容器の側壁により区画され、上記壁部および上記外縁部が、上記容器の上記湾曲部のための空洞を区画する請求項１から請求項５にいずれか１つに記載の蓋。
【請求項７】
上記固定手段が、係合する表面を区画するように、上記湾曲部の一部および／または複数の突起の一部と係合可能な、周囲に存在するリブを備える請求項１から請求項６のいずれか１つに記載の蓋。
【請求項８】
上記湾曲部が、上記カバーおよび固定手段の接触表面を区画する請求項１から請求項７にいずれか１つに記載の蓋。
【請求項９】
気密な蓋を提供するように、合成物が上記カバーと上記湾曲部の間に配置された請求項１から請求項８のいずれか１つに記載の蓋。
【請求項１０】
気密な蓋を提供するように、合成物が、上記容器の上記側壁および上記カバーの上記壁の部分の間に配置される請求項６から請求項９のいずれか１つに記載の蓋。
【請求項１１】
気密な蓋を提供するように、合成物が、上記外縁部および上記容器の上記側壁の間に配置される請求項１から請求項１０のいずれか１つに記載の蓋。
【請求項１２】
上記合成物が上記カバーまたは上記外縁部に取り付けられた請求項９から請求項１１のいずれか１つに記載の蓋。
【請求項１３】
上記カバーが、金属および／またはボール紙および／または混合物および／またはガラスおよび／または木から成る請求項１から請求項１２のいずれか１つに記載の蓋。
【請求項１４】
上記外縁部が上記カバーに継ぎ合わされた請求項１から請求項１３のいずれか１つに記載の蓋。
【請求項１５】
上記外縁部が上記カバーと共に射出成形された請求項１から請求項１３のいずれか１つに記載の蓋。
【請求項１６】
上記外縁部が上記カバーに接着された請求項１から請求項１３のいずれか１つに記載の蓋。
【請求項１７】
上記外縁部が上記カバー上にクリック止めされた請求項１から請求項１３のいずれか１つに記載の蓋。
【請求項１８】
上記外縁部が、ＰＥＬＤ、ポリプロピレン、ＰＥＨＤ、ポリエステル、アクリル樹脂、ナイロン、エラストマーまたはゴムなどの弾力性のあるプラスチックからできている請求項１から請求項１７のいずれか１つに記載の蓋。
【請求項１９】
上記蓋および上記容器が実質的に円筒状である請求項１から請求項１８のいずれか１つに記載の蓋。
【請求項２０】
上記固定手段の少なくとも一部が取り外し可能である請求項１から請求項１９のいずれか１つに記載の蓋。
【請求項２１】
係合するリブが第１の部分および第２の部分を備え、上記第１の部分の係合する表面の断面が、上記第２の部分の係合する表面の断面よりも大きい請求項７から請求項２０のいずれか１つに記載の蓋。
【請求項２２】
上記リブの上記第１の部分が取り外し可能である請求項２０または請求項２１に記載の蓋。
【請求項２３】
上記蓋が握る手段を備える請求項１から請求項２２のいずれか１つに記載の蓋。
【請求項２４】
上記外縁部が２つ、３つ、４つ、またはそれ以上の個別の外縁部からなる請求項１から請求項２３のいずれか１つに記載の蓋。
【請求項２５】
上記外縁部が上記容器の境界線全体に連続して沿って存在する請求項１から請求項２３のいずれか１つに記載の蓋。
【請求項２６】
上記外縁部が、上記外縁部の外周の方向へ横に広がる、１つ以上のはがすことのできるミシン目を備える請求項２５に記載の蓋。
【請求項２７】
上記外縁部は、上記外縁部の外周の方向へ横に広がる、１つ以上のスリットを備える請求項１から請求項２６のいずれか１つに記載の蓋。
【請求項２８】
上記外縁部の少なくとも一部が上記カバーから取り外し可能である請求項１から請求項２７のいずれか１つに記載の蓋。
【請求項２９】
容器のための蓋を製造する方法であり、その容器は側壁をもち、その側壁は容器の開口部の周囲に存在する湾曲部で終わり、その湾曲部は閉じられるべき開口部を一周し、
非プラスチックカバーを提供するステップであって、その非プラスチックカバーは開口部の周囲に端部をもち、その端部は外縁部の取り付け部分を区画し、上記非プラスチックカバーが開口部の周囲に封止領域をもち、その封止領域は上記容器の上端との封止部を形成可能であるステップ
非金属の外縁部を提供するステップ、および
上記外縁部を上記取り付け部分へ取り付けるステップ
を備える方法。
【請求項３０】
取り付けるステップが、上記外縁部を上記取り付け部分へ継ぎ合わせることを含む請求項２９に記載の方法。
【請求項３１】
取り付けるステップが、上記外縁部を上記取り付け部分へ接着することを含む請求項２９に記載の方法。
【請求項３２】
取り付けるステップが、上記外縁部を上記取り付け部分へ射出成形することを含む請求項２９に記載の方法。
【請求項３３】
取り付けるステップが、上記外縁部を上記取り付け部分上へクリック止めすることを含む請求項２９に記載の方法。  
【請求項３４】
上記外縁部を提供するステップが上記外縁部を押し出すことを含む請求項２７から請求項３１のいずれか１つに記載の方法。
【国際調査報告】
2005515129.tif 000031
2005515129.tif 000032
2005515129.tif 000033